(57)【要約】【課題】プリンターを傾けた場合に開いている開閉蓋が勢いよく閉まることを防止可能なプリンターの開閉蓋安全装置を提案すること。【解決手段】ロール紙プリンター１の開閉蓋安全装置６０は、ロール紙プリンター１の開閉蓋ユニット３の開閉動作を規制するためのレバー６１を備えている。ロール紙プリンター１を後方に傾けるとレバー６１が揺動して、その開閉蓋係合ピン６６が開閉蓋ユニット３の開閉軌跡４１Ａ内の位置に移動する。レバー６１の開閉蓋係合ピン６６によって、開閉蓋ユニット３が勢いよく閉じてしまうことを阻止できるので、勢いよく閉じる開閉蓋ユニット３によって操作者が手や指に損傷を受ける危険性を回避できる。【選択図】図６
2012171164.tif 000002
【特許請求の範囲】
【請求項１】
プリンターの開閉蓋の開閉動作を規制するプリンターの開閉蓋安全装置であって、
前記プリンターの設置状態に応じて前記開閉蓋の開閉軌跡内の位置および前記開閉軌跡外の位置に移動するレバーを備えており、
前記プリンターが、その上下方向がプリンター設置面に対して垂直な正立姿勢で当該プリンター設置面に設置された正立設置状態では、前記レバーは前記開閉軌跡外の位置に保持され、
前記正立設置状態のプリンターが、傾斜状態、および、前記プリンター設置面から持ち上げられた持ち上げ状態のうちの少なくとも一方の状態になると、前記レバーは前記開閉軌跡外の位置から前記開閉軌跡内の位置に移動することを特徴とするプリンターの開閉蓋安全装置。
【請求項２】
請求項１において、
前記開閉蓋は起立姿勢の閉じ位置から倒れ姿勢の開き位置までの間を開閉可能であり、
当該開閉蓋は開閉蓋付勢部材によって閉じ方向に付勢されており、
前記レバーの前記開閉軌跡内の位置は、前記開き位置にある前記開閉蓋が前記閉じ方向に移動することを阻止可能な位置であることを特徴とするプリンターの開閉蓋安全装置。
【請求項３】
請求項２において、
前記レバーは、プリンター上下方向に移動可能な状態で前記プリンターに取り付けられており、
前記プリンターが前記正立設置状態では、前記レバーは前記プリンター設置面によって押し上げられて前記開閉軌跡外の位置に保持され、
前記正立設置状態のプリンターが少なくとも前記開閉蓋が閉じる方向に傾斜した前記傾斜状態になると、前記レバーは下方に移動して前記開閉軌跡内の位置に切り替わることを特徴とするプリンターの開閉蓋安全装置。
【請求項４】
請求項３において、
前記レバーは、その自重により、前記開閉軌跡外の位置から下方の前記開閉軌跡内の位置に移動することを特徴とするプリンターの開閉蓋安全装置。
【請求項５】
請求項３において、
前記レバーを前記開閉軌跡外の位置に向けて付勢しているレバー付勢部材を備えていることを特徴とするプリンターの開閉蓋安全装置。
【請求項６】
請求項３において、
前記レバーは、プリンター上下方向に揺動可能な状態で前記プリンターに取り付けられており、
前記レバーにおける揺動中心に対して一方の側のレバー部分が前記レバー付勢部材によってプリンター上方に付勢され、
当該レバーにおける前記揺動中心に対して他方の側のレバー部分は、前記正立設置状態に前記プリンターを設置すると、前記プリンター設置面によって押し上げられることを特徴とするプリンターの開閉蓋安全装置。
【請求項７】
請求項３ないし６のうちのいずれかの項において、
前記レバーにおける前記プリンター設置面によって押し上げられる部分は、前記開閉蓋の開閉中心の下側に位置していることを特徴とするプリンターの開閉蓋安全装置。
【請求項８】
開閉蓋と、
前記開閉蓋の開閉動作を規制する開閉蓋安全装置とを有し、
前記開閉蓋は、起立姿勢の閉じ位置から倒れた姿勢の開き位置までの間を開閉可能であり、開閉蓋付勢部材によって閉じ方向に付勢されており、
前記開閉蓋安全装置は、請求項１ないし７のうちのいずれかの項に記載の開閉蓋安全装置であることを特徴とするプリンター。
【請求項９】
請求項８において、
前記開閉蓋は４節の平行リンク機構からなる開閉機構を備えており、
前記レバーは、前記リンク機構の一つのリンクにおける前記開閉軌跡内の位置および前記開閉軌跡外の位置に移動可能であることを特徴とするプリンター。
【請求項１０】
請求項９において、
ロール紙収納部を備え、
前記開閉蓋は前記ロール紙収納部の開口部を開閉するためのものであることを特徴とするプリンター。
【発明の詳細な説明】
【技術分野】
【０００１】
本発明は、開閉蓋を開けたままプリンターを傾けた場合などにおいて開閉蓋が勢いよく移動して操作者に損傷を与えることを回避できるようにしたプリンターの開閉蓋安全装置および当該開閉蓋安全装置を備えたプリンターに関する。
【背景技術】
【０００２】
プリンター、例えばロール紙プリンターにおいてはロール紙交換などのためにロール紙収納部を開閉するための開閉蓋が取り付けられている。開閉蓋は例えばプリンター前面に配置され、下端部を中心として起立した閉じ位置からプリンター手前側に倒れた開き位置までの間を開閉するようになっており、ロック機構によって閉じ位置にロックされている。ロックを解除して開閉蓋を開く際に開閉蓋が勢いよく倒れると、開閉蓋が操作者の手や指に当り、あるいは、開閉蓋とプリンター設置面の間に手や指が挟まれて怪我をするおそれがある。そこで、開閉蓋が勢いよく開くことの無いように引張コイルバネなどによって開閉蓋を閉じ方向に付勢している。この構成のロール紙プリンターは特許文献１に開示されている。
【先行技術文献】
【特許文献】
【０００３】
【特許文献１】特開２００９−１８４２４８号公報
【発明の概要】
【発明が解決しようとする課題】
【０００４】
ここで、ロール紙プリンターなどのプリンターでは、開閉蓋を開いたままプリンターを傾けた場合に開閉蓋が勢い良く閉じることがある。例えば、プリンター前面に開閉蓋が取り付けられている場合において、開閉蓋が開いたままプリンター自体を開閉蓋の閉じ方向（プリンター後方）に傾けると、開いている開閉蓋の姿勢が全体として起立側（閉じ側）に傾く。傾きが大きくなると、開閉蓋に作用している開閉蓋の自重による開き方向のモーメントが減少し、開閉蓋を閉じ方向に引張っている引張コイルバネのバネ力によって開閉蓋が勢いよく閉まるおそれがある。
【０００５】
また、開閉蓋は一般にロック機構によって閉じ位置にロックされているが、ロックを解除した状態でプリンターを傾斜させた場合、あるいは、ロックを解除した状態でプリンターを持ち上げた場合に、ロックが解除されている開閉蓋が勢いよく開くことがある。特に、開閉蓋が閉じ方向に引張りコイルバネによって付勢されている場合にはロックを解除しても開閉蓋が全開位置まで開かず、閉じ位置の側に保持されるので、このような不安定な状態でプリンターを傾斜あるいは持ち上げると、開閉蓋が勢いよく移動することがある。
【０００６】
開閉蓋が勢いよく閉まると（あるいは開くと）、プリンターを持っている操作者の手や指に開閉蓋が勢いよく当たり、手や指を怪我する危険性がある。また、勢いよく閉じる開閉蓋とプリンター本体側の開口部の縁との間に手や指が挟まれ、怪我をする危険性がある。
【０００７】
本発明の課題は、この点に鑑みて、プリンターを傾けた場合や持ち上げた場合に開閉蓋が勢いよく移動してしまうことを防止可能なプリンターの開閉蓋安全装置および当該開閉蓋安全装置を備えたプリンターを提案することにある。
【課題を解決するための手段】
【０００８】
本発明のプリンターの開閉蓋安全装置は、プリンターの開閉蓋の開閉動作を規制するために、プリンターの設置状態に応じて開閉蓋の開閉軌跡内の位置および前記開閉軌跡外の位置に移動するレバーを備えており、
前記プリンターが、その上下方向がプリンター設置面に対して垂直な正立姿勢で当該プリンター設置面に設置された正立設置状態においては、前記レバーは前記開閉軌跡外の位置に保持され、
前記正立設置状態のプリンターが、傾斜状態、および、前記プリンター設置面から持ち上げられた持ち上げ状態のうちの少なくとも一方の状態になると、前記レバーは前記開閉軌跡外の位置から前記開閉軌跡内の位置に移動することを特徴としている。
【０００９】
プリンター設置面に正立設置状態で設置されているプリンターを、その開閉蓋のロックが解除された状態のまま、例えば全開状態のまま傾けると、レバーが開閉軌跡外の位置から開閉軌跡内の位置に移動する。この場合には、プリンターを傾けたことにより開閉方向に移動しようとする開閉蓋にレバーを係合させて、開閉蓋の移動を規制することができる。したがって、プリンターを開閉蓋の閉じ方向に傾けた場合に、開閉蓋が勢いよく閉まり、手や指などに損傷を受けるという弊害を防止できる。
【００１０】
また、正立設置状態のプリンターを、その開閉蓋のロックが解除された状態のままプリンター設置面から持ち上げると、レバーが開閉軌跡外の位置から開閉軌跡内の位置に移動する。この場合には、プリンターを持ち上げることにより不安定になった開閉蓋にレバーを係合させて、開閉蓋の動きを規制することができる。したがって、開閉蓋が勢いよく開いてしまうことや、開閉蓋のフラ付きを規制できるので、開閉蓋に手や指が当たって損傷を受けるという弊害を防止できる。
【００１１】
ここで、開閉蓋が、起立状態の閉じ位置から倒れた状態の開き位置までの間を開閉可能となっている場合には、開閉蓋が勢いよく開いてしまうことを防止すると共に、倒れた状態の開き位置にある開閉蓋を持ち上げて閉じる操作を小さな力で簡単に行うことができるように、引張コイルバネなどの開閉蓋付勢部材によって開閉蓋を閉じ方向に付勢するようにしている。この場合には、プリンターが開閉蓋の閉じ方向に傾斜すると、開閉蓋がバネ力によって勢いよく閉じることがあるので危険である。そこで、レバーの開閉軌跡内の位置を、開き位置にある開閉蓋が閉じ方向に移動することを阻止可能な位置としておけば、レバーによって閉じ方向への開閉蓋の移動が阻止されるので、危険を回避できる。
【００１２】
また、レバーをプリンター上下方向に移動可能な状態でプリンターに取り付けておき、プリンターが正立設置状態では、レバーがプリンター設置面によって押し上げられて開閉軌跡外の位置に保持され、正立設置状態のプリンターが傾斜状態および持ち上げ状態のうちの少なくとも一方の状態になると、レバーが下方に移動して開閉軌跡内の位置に切り替わるようにしておくことができる。
【００１３】
このようなレバーの移動は、レバーの自重を利用して行うことができる。この代わりに、バネなどのレバー付勢部材を用いることもできる。
【００１４】
また、レバーの移動形態として上下方向の揺動を採用することができる。この場合には、レバーをプリンター上下方向に揺動可能な状態でプリンターに取り付け、レバーにおける揺動中心に対して一方の側のレバー部分をレバー付勢部材によってプリンター上方に付勢し、当該レバーにおける揺動中心に対して他方の側のレバー部分をプリンター設置面によって押し上げ可能にすればよい。
【００１５】
ここで、レバーにおけるプリンター設置面によって押し上げられる部分を、開閉蓋の開閉中心の下側に位置させておけば、他の部分にレバーを配置する場合に比べて、開閉蓋が勢いよく閉まる危険性の高いプリンターの傾き、浮き上がり（持ち上げ）に対して応答性良くレバーを移動させて開閉蓋の動きを直ちに阻止することができる。
【００１６】
次に、本発明のプリンターは、開閉蓋と、この開閉蓋の開閉動作を規制する開閉蓋安全装置とを有し、開閉蓋は、起立姿勢の閉じ位置から倒れた姿勢の開き位置までの間を開閉可能であると共に開閉蓋付勢部材によって閉じ方向に付勢されており、開閉蓋安全装置として上記構成の開閉蓋安全装置を用いることを特徴としている。
【００１７】
本発明のプリンターによれば、開閉蓋が勢いよく開くことを防止できると共に、開いている開閉蓋がプリンターを傾けたために勢いよく閉じてしまうことも防止できる。よって、開閉蓋が勢いよく開閉することに起因する危険性を確実に回避することができ、安全性の高いプリンターを実現できる。
【００１８】
ここで、開閉蓋の開閉機構としては４節の平行リンク機構が用いられる場合がある。この場合には、レバーを、４節の平行リンク機構の一つのリンクにおける開閉軌跡内の位置および開閉軌跡外の位置に移動させるようにし、レバーを当該リンクに係合させて開閉蓋の閉じ動作を阻止すればよい。
【００１９】
また、ロール紙プリンターにおいてはロール紙収納部の開口部はロール紙を交換できるように十分な寸法の開口部が形成されており、当該開口部を開閉するための開閉蓋を開けると印刷位置を規定するためのプラテン等も開閉蓋に取り付けられている場合がある。このような場合には、開閉蓋は寸法が大きく重量もあるので、勢いよく開閉すると非常に危険である。したがって、本発明の開閉蓋安全装置をこの構成のロール紙プリンターに用いることは極めて有用である。
【発明の効果】
【００２０】
本発明では、プリンターの設置状態に応じてレバーを移動させるようにしてある。したがって、例えば開閉蓋が勢いよく閉じる方向にプリンターが傾いた場合にはレバーを開閉蓋の開閉軌跡内の位置に移動させることにより、勢いよく閉じる開閉蓋に操作者の手や指が当たり、あるいは、勢いよく閉じる開閉蓋とプリンター側の開口部の縁の間に手や指が挟まれ、怪我をするという危険性を回避できる。また、開閉蓋のロックが解除された状態のままプリンターを持ち上げた場合などにおいて、勢いよく開く開閉蓋に手や指が当たり、怪我をするという危険性を回避できる。
【図面の簡単な説明】
【００２１】
【図１】本発明を適用したロール紙プリンターの斜視図である。
【図２】開閉蓋ユニットを開き位置にした状態のロール紙プリンターの斜視図である。
【図３】ロール紙プリンターの概略縦断面図（閉じ位置）である。
【図４】ロール紙プリンターの概略縦断面図（開き位置）である
【図５】プリンター斜め前方から見た場合の開閉蓋ユニットの開閉機構の斜視図である。
【図６】開閉蓋ユニットに取り付けた開閉蓋安全装置を示す説明図である。
【発明を実施するための形態】
【００２２】
以下に、図面を参照して、本発明を適用した開閉蓋安全装置を備えたプリンターの実施の形態を説明する。
【００２３】
（プリンターの全体構成）
図１は本実施の形態に係る開閉蓋安全装置を備えたインクジェット式のロール紙プリンターの外観斜視図であり、図２は開閉蓋ユニットを開いた状態のロール紙プリンターの外観斜視図である。これらの図に示すように、ロール紙プリンター１は全体としてほぼ直方体形状をしたプリンター本体２と、当該プリンター本体２の前面に取り付けた開閉蓋ユニット３（開閉蓋）とを有している。プリンター本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。排紙ガイド５および蓋開閉レバー６の下側には、ロール紙出し入れ用の矩形の開口部２ｂが形成されており、この開口部２ｂが開閉蓋ユニット３によって封鎖されている。
【００２４】
蓋開閉レバー６を操作すると開閉蓋ユニット３を閉じ位置にロックしているロック機構によるロックが解除されるようになっている。ロック機構としては公知のものを用いることができるので説明および図示を省略する。ロック解除後、排紙ガイド５を前方に引くと、開閉蓋ユニット３は、当該開閉蓋ユニット３の前面部分を構成している開閉蓋ケース３ａの背面側に取り付けられている開閉機構３ｂ（後述する４節の平行リンク機構）によって、その下端部を中心として前方にほぼ水平となるまで開く。開閉蓋ユニット３が図１に示すように垂直に起立した状態の閉じ位置３Ａから図２に示すように手前側に略水平に倒れた状態の開き位置３Ｂまで開くと、プリンター内部に形成されているロール紙収納部１１が開放状態となり、同時に、ロール紙収納部１１から記録紙排出口４に到る記録紙搬送路が開放状態となり、プリンター前方からロール紙の交換作業などを簡単に行うことができる。
【００２５】
（プリンターの内部構造）
図３はロール紙プリンター１の概略縦断面図であり、図４は開閉蓋ユニット３が開き位置にある状態の概略縦断面図である。ロール紙プリンター１の内部にはロール紙収納部１１が形成されており、このロール紙収納部１１に対してプリンター左側の部位にはインクカートリッジあるいはインクタンクの収納部７が形成されている。ロール紙収納部１１には、ロール紙１２がプリンター幅方向に向いた横置き状態で転動可能に収納される。ロール紙収納部１１の後側の上方位置には繰り出しローラー１５が配置されており、繰り出しローラー１５は、プリンター本体フレーム１０によってプリンター幅方向に水平に架け渡された状態で支持されている。繰り出しローラー１５には前側から紙押えローラー１６が押しつけられている。繰り出しローラー１５はプリンター本体フレーム１０に取り付けられた繰り出しモーター１７によって回転駆動される。紙押えローラー１６は、開閉蓋ユニット３の側に取り付けた支持レバー１８によって支持されており、開閉蓋ユニット３を開くと、紙押えローラー１６が繰り出しローラー１５から離れるようになっている。
【００２６】
ロール紙収納部１１の上方には、プリンター本体フレーム１０の上端にヘッドユニットフレーム２０が水平に取り付けられている。ヘッドユニットフレーム２０にはプリンター幅方向にキャリッジガイド軸２１が水平に架け渡されている。このキャリッジガイド軸２１に沿って、インクジェットヘッド２２が下向き状態で搭載されているキャリッジ２３がプリンター幅方向に往復移動可能となっている。キャリッジ２３は、公知のキャリッジ搬送機構、例えば、キャリッジモーターおよびタイミングベルトを備えたキャリッジ搬送機構によって、プリンター幅方向に往復移動される。
【００２７】
インクジェットヘッド２２の下側にはプリンター前後方向に水平に延びるプラテンフレーム２４が配置されている。プラテンフレーム２４には、インクジェットヘッド２２に一定のギャップで対峙している吸引プラテン２５がプリンター幅方向に水平に取り付けられており、この吸引プラテン２５によってインクジェットヘッド２２の印刷位置が規定されている。
【００２８】
プラテンフレーム２４の後端には、ロール紙収納部１１に収納されたロール紙１２から引き出される長尺状の記録紙１２ａが架け渡されるテンションガイド２７が配置されている。テンションガイド２７は、プラテンフレーム２４の後端においてプリンター幅方向に水平に架け渡した支軸を中心として上下に旋回可能に取り付けられている。支軸には捩じりばねなどの付勢部材が取り付けられており、この付勢部材によって、テンションガイド２７の凸曲面状の記録紙ガイド面２８が記録紙１２ａ側に付勢されている。
【００２９】
次に、プラテンフレーム２４におけるテンションガイド２７よりも前側の位置には、紙送りローラー３１がプリンター幅方向に水平に架け渡されている。紙送りローラー３１には、記録紙１２ａを介して、ヘッドユニットフレーム２０の側に取り付けられている紙押えローラー３２が所定の押圧力で上側から押し付けられている。プラテンフレーム２４における吸引プラテン２５の前端側の部位には、前側紙送りローラー（図示省略）がプリンター幅方向に水平に架け渡されている。この前側紙送りローラーには、記録紙１２ａを介して、ヘッドユニットフレーム２０の側に取り付けられている前側紙押えローラー（図示省略）が上側から押し付けられている。
【００３０】
紙送りローラー３１および前側紙送りローラーは、ロール紙収納部１１の後側においてプリンター本体フレーム１０に取り付けられている紙送りモーター３５によって駆動される。本例では、プラテンフレーム２４に不図示の減速歯車列が搭載されており、この減速歯車列を介して、紙送りモーター３５の回転力が紙送りローラー３１および前側紙送りローラー３３に伝達され、紙送りローラー３１と前側紙送りローラーが同期回転する。
【００３１】
ロール紙収納部１１に収納されているロール紙１２から上方に引き出される記録紙１２ａは、図３において太い一点鎖線で示す搬送路Ａに沿って搬送される。搬送路Ａは、繰り出しローラー１５および紙押えローラー１６の間を介して上方に向かい、テンションガイド２７を経由して前方に屈曲した後、紙送りローラー３１および紙押えローラー３２の間、インクジェットヘッド２２と吸引プラテン２５の間、および、前側紙送りローラーおよび前側紙押えローラー（図示省略）の間を通って、記録紙排出口４に至る。この搬送路Ａにセットされた記録紙１２ａによってテンションガイド２７が下方に押し込まれ、テンションガイド２７側からの付勢力によって記録紙１２ａは所定の張力が付与された状態になる。
【００３２】
（開閉蓋ユニット）
図５は開閉蓋ユニット３の開閉機構３ｂを示す図であり、プリンター斜め前方から見た場合の斜視図である。なお、この図においては開閉蓋ユニット３の開閉蓋ケース３ａを省略してある。この図から分かるように、開閉蓋ユニット３の開閉機構３ｂは、４節の平行リンク機構によってプリンター前方に開閉可能な状態でプリンター本体２に支持されている。平行リンク機構は、開閉蓋ケース３ａが取り付けられる左右一対の前側平行リンク４１、４２と、左右一対の後側平行リンク４３、４４とを備えている。前側平行リンク４１、４２の下端部は、それぞれ、プリンター本体フレーム１０の底板部分１０ａ（図３、図４参照）によって水平軸４６を中心に前後に回動自在に支持され、後側平行リンク４３、４４も底板部分１０ａによって水平軸４７を中心に前後に回動自在に支持されている。
【００３３】
前側平行リンク４１、４２は、ロール紙の残量確認用の窓４５ａが形成されたフレーム前面パネル４５によって一体に連結されている。開閉蓋ケース３ａは、この窓４５ａと重なる位置に形成された窓３ｃを備えている。開閉蓋ユニット３が閉じ位置にあるときには、この窓３ｃおよび窓４５ａを介して、外部からロール紙収納部１１に収納されたロール紙１２を確認することができる。
【００３４】
前側平行リンク４１、４２の上端部は、プラテンフレーム２４の前端部に対して水平軸４８を中心に回動自在に連結されている。これに対して、後側平行リンク４３、４４の上端部と、プラテンフレーム２４の後端部との間は、上下に一定量だけ移動可能な状態で連結されている。本例では、プラテンフレーム２４の側に上下に長い長孔２４ａが形成されており、ここに、後側平行リンク４３、４４の上端部に取り付けた水平軸４９が回転可能およびスライド可能な状態で挿入されている。
【００３５】
プラテンフレーム２４の左側の側面には、このプラテンフレーム２４に回転自在の状態のガイドローラー５０が取り付けられている。開閉蓋ユニット３が閉じ位置にあるときには、このガイドローラー５０がプリンター本体フレーム１０側に形成された傾斜段面に乗り上げることにより、プラテンフレーム２４がほぼ水平に保持され、ここに取り付けられている吸引プラテン２５が一定のギャップでインクジェットヘッド２２のノズル面に対峙して印刷位置を規定する。
【００３６】
開閉蓋ユニット３を開閉すると、プラテンフレーム２４に搭載されている吸引プラテン２５、テンションガイド２７、紙送りローラー３１などの部品も一緒に開閉して移動する。前側平行リンク４１、４２の水平軸４６を中心として開閉蓋ユニット３を前方に倒すと、前側平行リンク４１、４２と、後側平行リンク４３、４４の間の架け渡されているプラテンフレーム２４も全体として前方および下方に移動する。この移動により、プラテンフレーム２４のガイドローラー５０がプリンター本体フレーム１０の傾斜段面に沿って滑り落ちる。そして、開閉蓋ユニット３が開き位置にあるときには、プラテンフレーム２４の側に前側平行リンク４１、４２および後側平行リンク４３、４４がほぼ水平に折り畳まれた状態になっている。
【００３７】
ここで、図３、図４に示すように、開閉蓋ユニット３とプリンター本体フレーム１０の間には引張コイルバネ５５が架け渡されており、開閉蓋ユニット３は閉じ方向に付勢されている。引張コイルバネ５５の前端は、プラテンフレーム２４における支持レバー１８を前後方向に揺動可能に支持している支軸５６に掛けてあり、引張コイルバネ５５の後端は、プリンター本体フレーム１０における背面板部分１０ｂの下端部分に掛けてある。閉じ位置にロックされている開閉蓋ユニット３のロックを解除した際に、バネ力によって、開閉蓋ユニット３が自重により勢いよく開いてしまうことが防止される。また、図４から分かるように、開閉蓋ユニット３を開けると引張コイルバネ５５が伸び、開き位置３Ｂにある開閉蓋ユニット３に対して閉じ方向に大きなバネ力が作用する。したがって、開き位置３Ｂの開閉蓋ユニット３を小さな力で持ち上げて閉じることができる。
【００３８】
（開閉蓋安全装置）
次に、図６を参照して、開閉蓋ユニット３に取り付けられている開閉蓋安全装置の構造および作用効果を説明する。図６（ａ１）は正立姿勢で置かれているロール紙プリンター１の開閉蓋ユニット３が開いた状態を示す斜視図であり、図６（ａ２）はその状態における開閉蓋安全装置の状態を示す説明図である。図６（ｂ１）は開閉蓋ユニット３が開いたままロール紙プリンター１を後方に斜めに倒した状態を示す斜視図であり、図６（ｂ２）はその状態における開閉蓋安全装置の状態を示す説明図である。
【００３９】
これらの図を参照して説明すると、開閉蓋安全装置６０は、ロール紙プリンター１の開閉蓋ユニット３の開閉動作を規制するために、ロール紙プリンター１の姿勢に応じて開閉蓋ユニット３の開閉軌跡内の位置および開閉軌跡外の位置に移動する板金製のレバー６１を備えている。レバー６１は、開閉蓋ユニット３における開閉機構３ｂを構成している４節の平行リンク機構における右側の前側平行リンク４１の外側に沿って配置されている。このレバー６１は、開閉蓋ユニット３の開閉中心を規定している水平軸４６の後側の位置において、プリンター本体フレーム１０に水平に取り付けた揺動中心軸６２を中心として上下に揺動可能な状態で、当該プリンター本体フレーム１０によって支持されている。
【００４０】
レバー６１における揺動中心軸６２からプリンター後方に延びている後方側レバー部分６１ａの先端にはバネ掛け６１ｂが形成されている。このバネ掛け６１ｂよりもプリンター後方および上側の位置にはプリンター本体フレーム１０にバネ掛け１０ｂが形成されており、これらのバネ掛け６１ｂ、１０ｂの間にはレバー付勢用の引張コイルバネ６３が架け渡されている。レバー６１における揺動中心軸６２からプリンター前方に延びている前方側レバー部分６１ｃは、引張コイルバネ６３のバネ力によって下方に向かう方向に常時付勢されている。
【００４１】
レバー６１における前方側レバー部分６１ｃの先端には下方に突出している突出部６１ｄが形成されており、この突出部６１ｄの先端部分は、プリンター本体フレーム１０の底板部分１０ａに形成した開口を通って下方に突出している。また、前方側レバー部分６１ｃにおける揺動中心軸６２と突出部６１ｄの間の部位には、レバー６１の揺動方向に延びるガイド孔６１ｅおよびガイド溝６１ｆが形成されている。ガイド孔６１ｅにはプリンター本体フレーム１０の側に水平に取り付けたガイドピン６５がスライド可能な状態で差し通されている。ガイド溝６１ｆには、その下向きの開口側から開閉蓋ユニット３の開閉中心を規定している水平軸４６がスライド可能な状態で挿入されている。これらの部位によって、レバー６１の揺動がガイドされると共にレバー６１の揺動範囲が規定されている。
【００４２】
すなわち、図６（ａ１）に示すように、ロール紙プリンター１がプリンター設置面６７、例えば水平なテーブル面に置かれた場合には、ロール紙プリンター１は、プリンター上下方向がプリンター設置面６７に垂直な正立姿勢で設置された正立設置状態１Ａになる。この正立設置状態１Ａにおいては、図６（ａ２）に示すように、レバー６１は、底板部分１０ａから下方に突出しているレバー６１の突出部６１ｄがプリンター設置面６７によって上方に所定量だけ押し上げられた揺動状態になる。これに対して、図６（ｂ１）に示すように、正立設置姿勢のロール紙プリンター１の前側を持ち上げて斜めにした場合には、図６（ｂ２）に示すように、突出部６１ｄがプリンター設置面６７から離れるので、引張コイルバネ６３によるバネ力によってレバー６１が矢印Ｂの方向に揺動し、底板部分１０ａから下方に突出している突出部６１ｄの突出量が最大の状態になる。
【００４３】
ここで、レバー６１におけるガイド孔６１ｅとガイド溝６１ｆの間の部位には、横方向に水平に突出した状態で開閉蓋係合ピン６６が固定されている。開閉蓋係合ピン６６は、開閉蓋ユニット３の右側の前側平行リンク４１の前側に位置しており、レバー６１の揺動位置に応じて、開閉蓋ユニット３の前側平行リンク４１の開閉軌跡内の位置および当該開閉軌跡外の位置に移動する。
【００４４】
前側平行リンク４１の下端面のプリンター後端側の角４１ａの開閉軌跡４１Ａは、開閉蓋ユニット３の開閉に伴って、開閉中心を規定している水平軸４６を中心とする円弧を描く。開閉蓋係合ピン６６は、図６（ａ２）に示すように、ロール紙プリンター１が正立設置状態１Ａでは開閉軌跡４１Ａからプリンター後方に外れた位置にあり、ロール紙プリンター１の前側部分をプリンター設置面６７から持ち上げると、開閉蓋係合ピン６６は、図６（ｂ２）に示すように、開閉軌跡４１Ａ内に移動した位置となり、開き位置３Ｂから閉じ方向に移動しようとする前側平行リンク４１の角４１ａが当該開閉蓋係合ピン６６に当るので、開閉蓋ユニット３が開き位置３Ｂに保持される。
【００４５】
この構成の開閉蓋安全装置６０を備えたロール紙プリンター１においては、図６（ａ１）、（ａ２）に示すように、正立設置状態１Ａでは、レバー６１の突出部６１ｄがプリンター設置面６７によって押し上げられており、開閉蓋係合ピン６６が開閉軌跡４１Ａから後方に外れた位置にある。したがって、開き位置３Ｂにある開閉蓋ユニット３を閉じる際に開閉蓋係合ピン６６に邪魔されることなく閉じることができる。また、開閉蓋付勢用の引張コイルバネ５５によって開閉蓋ユニット３は閉じ方向に常に引張られているので、小さな操作力で簡単に開閉蓋ユニット３を閉じることができ、開閉蓋ユニット３から操作者の手や指が外れた場合であっても開閉蓋ユニット３が勢いよく開き方向に倒れることが無いので安全である。開閉蓋ユニット３を閉じると不図示のロック機構によって開閉蓋ユニット３は閉じ位置３Ａにロックされるので、開閉蓋ユニット３が不用意に開くことがないので安全である。
【００４６】
また、図６（ｂ１）、（ｂ２）に示すように、開閉蓋ユニット３が開いたままの状態のロール紙プリンター１を矢印Ｂで示すように後方に傾けた場合には、ロール紙プリンター１の底面の前端側の部分がプリンター設置面６７から浮き上がる。この結果、レバー６１はプリンター設置面６７による押し上げ状態から解放されてバネ力によって下方に揺動する。この結果、レバー６１の開閉蓋係合ピン６６が開閉蓋ユニット３の側の開閉軌跡４１Ａ内の位置に入り込むので、この傾斜状態で開閉蓋ユニット３を閉じようとしても、当該開閉蓋ユニット３が開閉蓋係合ピン６６に当るので開閉蓋ユニット３は開き位置３Ｂに保持される。
【００４７】
特に、図６（ｂ１）、（ｂ２）に示すように矢印Ｂの方向にロール紙プリンター１を傾けた場合、換言すると、開閉蓋ユニット３の閉じ方向に傾けた場合には、開閉蓋ユニット
３の自重による開き方向のモーメントが減少するので、引張コイルバネ５５のバネ力によって開閉蓋ユニット３が勢いよく閉まる危険性がある。開閉蓋ユニット３が勢いよく閉まると、操作者の手や指に開閉蓋ユニット３が当たって怪我をするおそれがある。また、開閉蓋ユニット３とロール紙収納部１１の開口部の縁の間に手や指が挟まれて怪我をするおそれがある。本例では、開閉蓋ユニット３の閉じ方向にロール紙プリンター１を傾けた場合にはレバー６１の開閉蓋係合ピン６６が開閉蓋ユニット３に当り、開閉蓋ユニット３が開き位置に保持されるので、このような危険性を回避でき、安全である。
【００４８】
また、本例では、レバー６１の突出部６１ｄが開閉蓋ユニット３の下側に位置しており、ロール紙プリンター１の前側の部分が僅かに浮き上がった場合でも（僅かにロール紙プリンター１が傾斜した場合でも）レバー６１が確実に揺動して、開き状態の開閉蓋ユニット３の動きを阻止できるようになっている。したがって、開閉蓋ユニット３が勢いよく閉まるおそれのある傾斜方向にロール紙プリンター１を傾けた場合に、確実かつ迅速に開閉蓋ユニット３の動きを阻止できるので、安全性が高い。
【００４９】
なお、本例では、ロール紙プリンター１を正立設置状態１Ａから全体を持ち上げた場合においても、開閉蓋ユニット３が開いている状態の場合にはレバー６１が揺動して開閉蓋ユニット３が開き位置３Ｂに保持される。開閉蓋ユニット３が開いたままの状態でロール紙プリンター１を持ち上げて移動させるなどの操作において開閉蓋ユニット３が開閉方向に振れることは危険であるが、本例ではこのような場合においても開閉蓋ユニット３を開き位置に保持できるので、安全である。
【００５０】
（その他の実施の形態）
上記の開閉蓋安全装置６０では、ロール紙プリンター１を傾けるとレバー６１が揺動するようになっている。レバー６１を揺動させる代わりに、例えば上下方向にスライドさせるようにしてもよい。この場合には、バネ力などの付勢力によってレバー６１を下方に押し付けておけばよい。
【００５１】
また、本例では引張コイルバネ６３のバネ力を利用してレバー６１を付勢しているが、レバー６１の自重によってレバー６１を移動させるようにすることもできる。例えば、レバー６１における前方側レバー部分６１ｃの側に錘を付けておけば、ロール紙プリンター１を持ち上げた場合に、レバー６１が自重によって揺動して図６（ｂ２）に示すように、突出部６１ｄを下方に突出させた状態にすることができる。
【００５２】
さらに、本例ではレバー６１を揺動させて開閉蓋ユニット３の前側平行リンク４１に係合できるようにしてあるが、開閉蓋ユニット３における他の構成部品に係合可能にしておいてもよいことは勿論である。
【００５３】
さらには、上記の例はロール紙プリンター１のロール紙収納部１１を開閉するための開閉蓋ユニット３に開閉蓋安全装置６０を取り付けた場合の例であるが、本発明の開閉蓋安全装置６０は、ロール紙収納部を開閉する開閉蓋ユニット以外の開閉蓋に対しても同様に適用することができる。
【符号の説明】
【００５４】
１…ロール紙プリンター、１Ａ…正立設置状態、１Ｂ…傾斜状態、２…プリンター本体、２ａ…外装ケース、２ｂ…開口部、３…開閉蓋ユニット、３ａ…開閉蓋ケース、３ｂ…開閉機構、３ｃ…窓、３Ａ…閉じ位置、３Ｂ…開き位置、４…記録紙排出口、５…排紙ガイド、６…蓋開閉レバー、７…収納部、１０…プリンター本体フレーム、１０ａ…底板部分、１０ｂ…背面板部分、１１…ロール紙収納部、１２…ロール紙、１２ａ…記録紙、１５…繰り出しローラー、１６…紙押えローラー、１７…繰り出しモーター、１８…支持レバー、２０…ヘッドユニットフレーム、２１…キャリッジガイド軸、２２…インクジェットヘッド、２３…キャリッジ、２４…プラテンフレーム、２４ａ…長孔、２５…吸引プラテン、２７…テンションガイド、２８…記録紙ガイド面、３１…紙送りローラー、３２…紙押えローラー、３５…紙送りモーター、４１、４２…前側平行リンク、４１ａ…角、４１Ａ  開閉軌跡、４３、４４…後側平行リンク、４５…フレーム前面パネル、４５ａ…窓、４６〜４９…水平軸、５０…ガイドローラー、５５…引張コイルバネ、５６…支軸、６０…開閉蓋安全装置、６１…レバー、６１ａ…後方側レバー部分、６１ｂ…バネ掛け、６１ｃ…前方側レバー部分、６１ｄ…突出部、６１ｅ…ガイド孔、６１ｆ…ガイド溝、６２  揺動中心軸、６３  引張コイルバネ、６５…ガイドピン、６６…開閉蓋係合ピン、６７…プリンター設置面、Ａ…搬送路、Ｂ…方向
【図１】
2012171164.tif 000003
【図２】
2012171164.tif 000004
【図３】
2012171164.tif 000005
【図４】
2012171164.tif 000006
【図５】
2012171164.tif 000007
【図６】
2012171164.tif 000008